(57)【要約】【課題】入力信号に関わらず複数の外部機器から選択された機器を表示すると共に、選択していない機器の待機電力を削減するものである。【解決手段】操作部８によって選択された機器からの入力に切り替え表示すると共に、電源供給部７によりあらかじめ設定された内容で、選択されていない外部機器の電源供給を停止することによりテレビジョン受像機１の操作のみで外部機器の表示選択から、電源オン・オフを可能とするものである。【選択図】　図１
2004023221.tif 000002
【特許請求の範囲】
【請求項１】
複数の外部入力の中から選択された外部入力信号に表示切り替えを行うと共に連動して外部機器の電源のオン・オフを行うことを特徴とするテレビジョン受像機。
【請求項２】
複数の映像信号および音声信号を入力する為の外部入力端子を有し、表示する外部入力を選択する手段と、前記外部入力の信号切り替えを行う手段、および、前記外部入力端子に接続された外部機器に電源を供給し前記外部機器の電源のオン・オフを行う手段を有し、前記外部入力を選択する手段に応じて選択された外部入力信号に表示切り替えを行うと共に連動して外部機器の電源のオン・オフを行うことを特徴とするテレビジョン受像機。
【請求項３】
複数の外部入力の中から選択された外部入力信号に表示切り替えを行うと共に連動して外部機器の電源をオンする際に、あらかじめ設定された時間が経過した後電源のオンを行うことを特徴とする請求項１記載のテレビジョン受像機。
【請求項４】
複数の映像信号および音声信号を入力する為の外部入力端子を有し、表示する外部入力を選択する手段と、上記外部入力信号切り替えを行う手段、および、上記外部入力端子に接続された外部機器に電源を供給し外部機器の電源のオンを行う手段と、各外部入力毎に信号選択から電源オンまでの時間を記憶する手段により、外部入力を選択する手段に応じて選択された外部入力信号に表示切り替えを行うと共に連動してあらかじめ設定された時間が経過した後に外部機器の電源のオンを行うことを特徴とする請求項２記載のテレビジョン受像機。
【請求項５】
複数の外部入力の中から選択された外部入力信号に表示切り替えを行うと共に連動して外部機器の電源をオフする際に、あらかじめ設定された時間が経過した後電源のオフを行うことを特徴とする請求項１記載のテレビジョン受像機。
【請求項６】
複数の映像信号および音声信号を入力する為の外部入力端子を有し、表示する外部入力を選択する手段と、上記外部入力信号切り替えを行う手段、および、上記外部入力端子に接続された外部機器に電源を供給し外部機器の電源のオフを行う手段と、各外部入力毎に信号選択から電源オフまでの時間を記憶する手段により、外部入力を選択する手段に応じて選択された外部入力信号に表示切り替えを行うと共に連動してあらかじめ設定された時間が経過した後に外部機器の電源のオフを行うことを特徴とする請求項２記載のテレビジョン受像機。
【請求項７】
あらかじめ設定された時間が経過した後に確認のメッセージを表示し、確認後に外部機器の電源のオン・オフを行うことを特徴とする前記請求項３、請求項４、請求項５、請求項６に記載のテレビジョン受像機。
【発明の詳細な説明】
【０００１】
【発明の属する技術分野】
本発明は、複数の外部入力の中から選択された外部入力信号に表示切り替えを行うと共に連動して外部機器の電源のオン・オフを行うテレビジョン受像機。（国際特許分類　Ｈ０４Ｎ　５／４４５）に関するものである。
【０００２】
【従来の技術】
従来のテレビジョン受像装置では特開２００１−１５７１３５に示すように外部入力に信号が入力された場合、あらかじめ設定された優先順位や表示方法で表示切り替えや情報告知を行うものである。
【０００３】
【発明が解決しようとする課題】
このように、外部入力に信号が入力された時に表示切り替えや情報告知を行っている方法では、ＢＳ放送やＣＳ放送等用チューナーといったテレビジョン受像機使用時は常時信号が入力される外部チューナーなどを接続している場合には表示切り替えや情報告知が出来ない問題があった。また、ホームシアターなどでビデオやＤＶＤと言った再生装置と音響用機器を同時使用する場合には個別に電源オン・オフする必要があり、さらに、こう言った外部チューナーや再生装置と音響用機器等は機器は便利性を増す為にリモコンで電源オン・オフを行うようになっており、リモコンでの操作を受け付けるようにする為に待機状態等と呼ばれる消費電力を抑えた動作になっているが、使用頻度が少ない場合はこの待機状態の消費電力が年間に消費する電力の中に占めるウエイトが大きくなっているという問題がある。
【０００４】
本発明は前記課題に鑑み、複数の外部入力の中から選択された外部入力信号に表示切り替えを行うと共に連動して外部機器の電源のオン・オフを行うことにより、外部入力に入力される信号の有無にとらわれることなく必要な外部機器のみ電源をオンし、不要な外部機器の電源をオフしておく事で待機電力削減を可能とし、また、この時に必要な複数の外部機器を同時にオン・オフすることにより、個別に外部機器の電源をオン・オフすることなく使用することを可能とするものである。
【０００５】
さらに、選択された外部入力信号に表示切り替えを行うと共に連動して外部機器の電源をオン・オフする際に、あらかじめ設定された時間が経過した後電源のオンを行うことにより、表示選択ボタンでのトグル動作による表示切替や、操作ミスによる表示切替誤動作を可能とするものである。
【０００６】
【課題を解決するための手段】
前記課題を解決するために、複数の外部入力の中から選択された外部入力信号に表示切り替えを行うと共に連動して外部機器への電源供給のオン・オフを行うことにより、外部入力に入力される信号の有無にとらわれることなく必要な外部機器のみ電源をオンし表示することを可能とし、不要な外部機器の電源供給自体を停止する事により、外部機器ごとに消費している待機電力削減を可能とした事を特徴とするテレビジョン受像機である。
【０００７】
また、選択された外部入力により複数の外部機器必要とする場合は、それぞれ必要な外部機器と必要でない外部機器とを連動してオン・オフすることにより、個別に外部機器の電源をオン・オフすることなく使用することを可能とした事を特徴とするテレビジョン受像機である。
【０００８】
また、選択された外部入力信号に表示切り替えを行うと共に連動して外部機器の電源をオン・オフする際に、あらかじめ設定された時間が経過した後電源のオン・オフを行うことにより、表示選択ボタンでのトグル動作による表示切替や、操作ミスによる表示切替誤動作を防止する事を特徴とするものである。
【０００９】
【発明の実施の形態】
本発明の請求項１、請求項２に記載のテレビ受像装置は複数の外部入力の中から選択された外部入力信号に表示切り替えを行うと共に連動して外部機器の電源のオン・オフを行うことを特徴としたものであり、必要な外部機器のみ電源をオンし、不要な外部機器の電源をオフしておく事で待機電力削減を可能としたものである。
【００１０】
また、本発明の請求項３、請求項４に記載のテレビジョン受像機は複数の外部入力の中から選択された外部入力信号に表示切り替えを行うと共に連動して外部機器の電源をオンする際に、あらかじめ設定された時間が経過した後電源のオンを行い、確認後に外部機器の電源のオンを行うことで、表示選択ボタンでのトグル動作による表示切替や、操作ミスによる表示切替誤動作を防止する事を可能とするものである。
【００１１】
また、本発明の請求項５、請求項６に記載のテレビジョン受像機は複数の外部入力の中から選択された外部入力信号に表示切り替えを行うと共に連動して外部機器の電源をオフする際に、あらかじめ設定された時間が経過した後電源のオフを行い、確認後に外部機器の電源のオフを行うことで、表示選択ボタンでのトグル動作による表示切替や、操作ミスによる表示切替誤動作を防止する事を可能とするものである。
【００１２】
また、本発明の請求項７に記載のテレビジョン受像機は複数の外部入力の中から選択された外部入力信号に表示切り替えを行うと共に連動して外部機器の電源をオン・オフする際に、あらかじめ設定された時間が経過した後に確認のメッセージを表示し、確認後に外部機器の電源のオン・オフを行うことで、表示選択ボタンでのトグル動作による表示切替や、操作ミスによる表示切替誤動作を防止する事を可能とするものである。
【００１３】
以下に、本発明の実施の形態について、図１、図２を用いて説明する。
【００１４】
（実施の形態１）
図１において、テレビジョン受像機１、チューナー２、入力切替部３、マイコン４、不揮発性メモリ５、電源供給部７、操作部８、映像処理部９、表示部１０である。また、図２はリレー切替部６を含む電源供給部７の構成図である。
【００１５】
テレビジョン受像機１内に設けられたチューナー２はＲＦ信号から操作部８によって選択された任意のチャンネルの映像信号、及び音声信号を出力し、また、外部機器から入力された映像信号、及び音声信号はは外部入力端子１〜４に入力され入力切替部３から出力され、それぞれ入力切替部３に入力される。
【００１６】
入力切替部３では操作部８によって選択された内容に基づきマイコン４によりチューナー２、もしくは外部入力端子１〜４を切り替えて映像信号、及び音声信号を映像処理部９に出力する。映像処理部９からの信号に基づき表示部１０で映像、及び音声を出力する。ここで、表示部１０はブラウン管、及びスピーカーから成る映像出力装置、及び音声出力装置である。
【００１７】
なお、映像出力装置は液晶表示装置やプラズマ表示装置などでも構わない。また、音声出力装置はヘッドホンなどでも構わない。また、リレー切替部６は半導体などによって構成される半導体スイッチでも構わない。
【００１８】
次にマイコン４ではリレー切替部６の開閉制御を行い電源供給部７の電源出力端子１〜４の電源オン・オフを制御する。
【００１９】
例えば、操作部８によってチューナー２の選択を行った場合、マイコン４では入力切替部３を制御しチューナー２からの映像信号、及び音声信号を映像処理部９へ入力し、表示部１０で出力する。この時外部入力端子１〜４、および電源出力端子１〜４に接続された外部機器から入力される映像信号、及び音声信号は表示する必要が無く、さらには外部機器自体から映像信号、及び音声信号は出力される必要が無い為、マイコン４からリレー切替部６へ開閉制御を行い、電源供給部７の電源出力端子１〜４に接続された外部機器への電源供給を停止する事により外部機器の電源をオフする。
【００２０】
次に操作部８によって外部入力端子１が選択された場合、マイコン４では入力切替部３を制御し外部入力端子１からの映像信号、及び音声信号を映像処理部９へ入力し、表示部１０で出力する。この時外部入力端子２〜４、および電源出力端子２〜４に接続された外部機器から入力される映像信号、及び音声信号は表示する必要が無く、さらには外部機器自体から映像信号、及び音声信号は出力される必要が無い為、マイコン４からリレー切替部６へ開閉制御を行い、電源供給部７の電源出力端子２〜４に接続された外部機器への電源供給を停止する事により外部機器の電源オフを継続する。
【００２１】
また、選択された外部入力端子１に対してはマイコン４からリレー切替部６へ開閉制御を行い、電源供給部７の電源出力端子１に接続された外部機器への電源供給を開始する事により外部機器の電源をオンする。同様に外部入力端子２を選択した場合は、電源出力端子２に接続された外部機器の電源をオンし、それ以外の電源出力端子に接続された外部機器の電源をオフする。
【００２２】
かかる構成によれば操作部８によって選択された入力信号に表示切り替えを行うと共に必要な外部機器の電源のオンし、必要の無い外部機器の電源をオフを行うことが可能となり、また、外部機器への電源供給自体を停止することが可能である為、外部機器のメインスイッチ自体はオンのままであっても不要な外部機器の電力を消費することなく、また、テレビジョン受信機の入力切替操作のみで外部機器のオン・オフを可能としたものである。
【００２３】
次に本発明の別の一実施の形態について図３、図４を用い説明する。なお、前述した実施の形態と同じ構成に付いては同じ符号を用い、説明を省略する。
【００２４】
（実施の形態２）
図３において、テレビジョン受像機１、ＶＴＲ装置１１、ＤＶＤプレーヤー装置１２、音響機器１３、ゲーム機器１４である。また、図４はＯＳＤなどにより外部入力端子１〜４に対する電源出力端子１〜４のオン・オフ設定状態を示している。
【００２５】
テレビジョン受像機１に接続されたＶＴＲ装置１１にはテレビジョン受像機１のチューナー２に入力されるＲＦ信号が入力され、ＲＦ信号から任意のチャンネルの映像信号、及び音声信号を出力しテレビジョン受像機１に入力することが可能である。
【００２６】
また、ビデオテープを使用することにより映像信号、及び音声信号をビデオテープに記録することが出来る。
【００２７】
また、ビデオテープの再生を行う際は、ビデオテープに記録された映像信号、及び音声信号を出力しテレビジョン受像機１に入力することが出来る。
【００２８】
テレビジョン受像機１に接続されたＤＶＤプレーヤー装置１２はデジタルビデオディスク（ＤＶＤとする）に記録されたデジタル信号から映像信号、及び音声信号を再生し、テレビジョン受像機１に入力する。また、ＤＶＤプレーヤー装置１２には音響機器１３が接続されている。ゲーム機器１４では電源をオンすると、セットされたゲームソフトが起動し、その内容に応じた映像信号、及び音声信号がテレビジョン受像機１に出力される。
【００２９】
入力切替部３では操作部８によって選択された内容に基づきマイコン４によりチューナー２、もしくは外部入力端子１〜４に接続された外部機器を切り替えて映像信号、及び音声信号を映像処理部９に出力し、映像処理部９からの信号に基づき表示部１０で映像、及び音声を出力する。また、電源供給部７の電源出力端子１〜４には外部機器が接続される。
【００３０】
次に、図４を用い外部入力端子１〜４選択時における電源出力端子１〜４のオン・オフ設定についての説明をする。ＯＳＤなどにより図４の様に外部入力端子１〜４に対する電源出力端子１〜４のオン・オフ設定を行う。
【００３１】
ここで、外部入力端子１に例えばＶＴＲ装置１１を接続し、電源出力端子１にＶＴＲ装置１１を接続した場合は、外部入力端子１選択時には電源出力端子１をオンするようにすれば良い。もちろん電源出力端子２〜４に接続した場合は、外部入力端子１選択時には接続した電源出力端子２〜４をオンするようにすれば良い。
【００３２】
例えば、外部入力端子１、電源出力端子１にＶＴＲ装置１１を接続し、外部入力端子２、電源出力端子２にＤＶＤプレーヤー装置１２を接続し、電源出力端子３に音響機器１３を接続する。また、外部入力端子４、電源出力端子４にはゲーム機器１４が接続される。
【００３３】
ここで、外部入力端子１〜４選択時における電源出力端子１〜４のオン・オフ設定については図５の様に行うが、ＶＴＲ装置１１はタイマー録画等を行う為ＶＴＲ装置１１が選択されていない場合においても電源を供給しておく必要が有り常時電源の設定をオンとしておく。
【００３４】
次にＤＶＤプレーヤー装置１２は音響機器１３と同時に使用する為、ＤＶＤプレーヤー装置１２を接続している外部入力端子２を選択した場合にはＤＶＤプレーヤー装置１２と、音響機器１３が接続された電源供給端子２と３を同時にオン・オフするよう設定しておく。次にゲーム機器１４は単独で使用するため外部入力端子４に連動して電源供給端子４をオン・オフするように設定しておく。設定した内容は不揮発性メモリ５によって記憶しておく。
【００３５】
操作部８によってチューナー２の選択を行った場合、マイコン４では入力切替部３を制御しチューナー２からの映像信号、及び音声信号を映像処理部９へ入力し、表示部１０で出力する。
【００３６】
この時外部入力端子１〜４、および電源出力端子１〜４に接続された外部機器から入力される映像信号、及び音声信号は表示する必要が無く、さらには外部機器自体から映像信号、及び音声信号は出力される必要が無い為、あらかじめ常時電源オンを選択した外部入力端子１、及び電源出力端子１に接続されたＶＴＲ機器１１以外をマイコン４からリレー切替部６へ開閉制御を行い電源供給部７の電源出力端子２〜４に接続された外部機器への電源供給を停止する事により外部機器の電源をオフする。
【００３７】
次に操作部８によってＶＴＲ機器１１が接続された外部入力１が選択された場合、マイコン４では入力切替部３を制御し外部入力端子１からの映像信号、及び音声信号を映像処理部９へ入力し、表示部１０で出力する。
【００３８】
この時外部入力端子２〜４、および電源出力端子２〜４に接続された外部機器から入力される映像信号、及び音声信号は表示する必要が無く、さらには外部機器自体から映像信号、及び音声信号は出力される必要が無い為、マイコン４からリレー切替部６へ開閉制御を行い、電源供給部７の電源出力端子２〜４に接続された外部機器への電源供給を停止する事により外部機器の電源オフを継続する。
【００３９】
次にＤＶＤプレーヤー装置１２を接続した外部入力端子２が選択された場合、常時電源オンが選択されている電源出力端子１はオンのまま、ＤＶＤプレーヤー装置１２が接続された電源供給端子２、及び外部入力端子２と連動してオン・オフするように設定された音響機器１３が接続された電源供給端子３を同時にオンする。次にゲーム機器１４を接続した外部入力端子４が選択された場合には、常時電源オンが選択されている電源出力端子１はオンのまま、電源出力端子２、及び電源出力端子３をオフし、ゲーム機器１４が接続された電源供給端子４をオンする。
【００４０】
かかる構成によれば操作部８によって選択された入力信号に表示切り替えを行うと共に必要な複数の外部機器の電源を連動してオンし、必要の無い外部機器の電源をオフを行うことが可能となり、また、外部機器への電源供給自体を停止することが可能である為、外部機器のメインスイッチ自体はオンのままであっても不要な外部機器の電力を消費することなく、また、テレビジョン受信機の入力切替操作のみで外部機器のオン・オフを可能としたものである。
【００４１】
なお、ここでＶＴＲ装置１１、ＤＶＤ装置１２、音響機器１３は電源出力端子１〜４のどの端子に接続されても設定により問題無いことは言うまでも無い。
【００４２】
次に本発明の別の一実施の形態について図５、図６を用い説明する。なお、前述した実施の形態と同じ構成に付いては同じ符号を用い、説明を省略する。
【００４３】
（実施の形態３）
図５は操作部８によって選択された、チューナー２、もしくは外部入力端子１〜４に接続された外部機器を選択する際の入力切替部３の動作と電源出力端子１〜４の動作を示す。
【００４４】
ここで切替動作の際の入力切替部３の動作、すなわち表示部１０に表示するタイミングに対し、リレー切替部６による電源オンのタイミングを入力切替部の動作からｔ１に示すように一定時間経過後に行うことで入力切替操作時に、チューナー２、外部入力端子１〜４を操作部８のトグル動作、もしくは、各入力に割り当てられた選択ボタンを操作する際の押し間違いのときに、外部機器の余計な電源オンを防止したり、誤って電源オンを行ってしまうことを防止することが可能となる。
【００４５】
また、このときに図６に示すようにＯＳＤなどにより、電源オンの確認メッセージを表示し、確認後に電源オンすることにより外部機器の余計な電源オンを防止したり、誤って電源オンを行ってしまうことを防止することが可能となる。
【００４６】
なお、ここで切り替えまでの動作時間ｔ１を不揮発性メモリ５に記憶しておくことにより任意に設定可能であり、また、ＯＳＤなどによる電源オンの確認メッセージを表示するまでの時間や、表示自体の時間も同様に任意に設定出来るようにし不揮発性メモリ５に記憶することで使用者による操作部８の選択ボタンの操作スピードなどの違いがあっても使い勝手を向上することが可能となる。
【００４７】
かかる構成によれば、表示選択ボタンでのトグル動作による表示切替や、操作ミスによる表示切替誤動作を防止する事を可能とするものである。
【００４８】
（実施の形態４）
図７は操作部８によって選択された、チューナー２、もしくは外部入力端子１〜４に接続された外部機器を選択する際の入力切替部３の動作と電源出力端子１〜４の動作を示す。
【００４９】
ここで切替動作の際の入力切替部３の動作、すなわち表示部１０に表示するタイミングに対し、リレー切替部６による電源オフのタイミングを入力切替部の動作からｔ２に示すように一定時間経過後に行うことで入力切替操作時に、チューナー２、外部入力端子１〜４を操作部８のトグル動作、もしくは、各入力に割り当てられた選択ボタンを操作する際の押し間違いのときに、外部機器の余計な電源オフを防止したり、誤って電源オフを行ってしまうことを防止することが可能となる。
【００５０】
また、このときに図８に示すようにＯＳＤなどにより、電源オフの確認メッセージを表示し、確認後に電源オフすることにより外部機器の余計な電源オフを防止したり、誤って電源オフを行ってしまうことを防止することが可能となる。
【００５１】
なお、ここで切り替えまでの動作時間ｔ２を不揮発性メモリ５に記憶しておくことにより任意に設定可能であり、また、ＯＳＤなどによる電源オンの確認メッセージを表示するまでの時間や、表示自体の時間も同様に任意に設定出来るようにし不揮発性メモリ５に記憶することで使用者による操作部８の選択ボタンの操作スピードなどの違いがあっても使い勝手を向上することが可能となる。
【００５２】
かかる構成によれば、表示選択ボタンでのトグル動作による表示切替や、操作ミスによる表示切替誤動作を防止する事を可能とするものである。
【００５３】
【発明の効果】
以上のように、本発明は、複数の外部入力の中から選択された外部入力信号に表示切り替えを行うと共に連動して外部機器の電源のオン・オフを行うことにより、外部入力に入力される信号の有無にとらわれることなく必要な外部機器のみ電源をオンし、不要な外部機器の電源をオフしておく事で待機電力削減を可能とし、また、この時に必要な複数の外部機器を同時にオン・オフすることにより、個別に外部機器の電源をオン・オフすることなく使用することを可能とするものである。
【００５４】
さらに、選択された外部入力信号に表示切り替えを行うと共に連動して外部機器の電源をオン・オフする際に、あらかじめ設定された時間が経過した後電源のオンを行うことにより、表示選択ボタンでのトグル動作による表示切替や、操作ミスによる表示切替誤動作を可能とするものである。
【図面の簡単な説明】
【図１】本発明の実施の形態１を示す構成図
【図２】本発明の実施の形態１における電源供給部を示す構造図
【図３】本発明の実施の形態２を示す構成図
【図４】本発明の実施の形態２における設定画面の構成図
【図５】本発明の実施の形態３における電源オン時の切替タイミングを示す構成図
【図６】本発明の実施の形態３における電源オン時の確認画面の構成図
【図７】本発明の実施の形態４における電源オフ時の切替タイミングを示す構成図
【図８】本発明の実施の形態４における電源オフ確認画面の構成図
【符号の説明】
１　テレビジョン受像装置
２　チューナー
３　入力切替部
４　マイコン
５　不揮発性メモリ
６　リレー切替部
７　電源供給部
８　操作部
９　映像処理部
１０　表示部
１１　ＶＴＲ装置
１２　ＤＶＤプレーヤー装置
１３　音響機器
１４　ゲーム機器
【図１】
2004023221.tif 000003
【図２】
2004023221.tif 000004
【図３】
2004023221.tif 000005
【図４】
2004023221.tif 000006
【図５】
2004023221.tif 000007
【図６】
2004023221.tif 000008
【図７】
2004023221.tif 000009
【図８】
2004023221.tif 000010